(57)【要約】【課題】脱臭機能を維持したままコンパクト化することができる脱臭装置を提供すること。【解決手段】脱臭装置として機能する局部洗浄装置３は、便器本体２が有する便鉢４の後部に設置され、斜め下方に向けて開口している吹出口３３を側方に有するベース８と、ベース８の上方に空間を形成するようにベース８を覆うカバー１１と、を備える。カバー１１は、側面視で吹出口３３の少なくとも一部を遮蔽している。ベース８は、吹出口３３と便鉢４の上端周縁との間に間隔を空けた状態で便鉢４の後部上に載置される。【選択図】図４
2018087453.tif 000002
【特許請求の範囲】
【請求項１】
便器本体が有する便鉢の後部に設置され、斜め下方に向けて開口する吹出口を側方に有するベースと、
前記ベースの上方に空間を形成するように前記ベースを覆うカバーと、を備える脱臭装置。
【請求項２】
前記カバーは、側面視で前記吹出口の少なくとも一部を遮蔽している請求項１に記載の脱臭装置。
【請求項３】
前記ベースは、前記吹出口と前記便鉢の上端周縁との間に間隔を空けた状態で前記便鉢の後部上に載置される請求項１又は２に記載の脱臭装置。
【請求項４】
通過する空気に含まれる臭気を取り除き、通過した空気を斜め下方に向けて放出する脱臭部を備え、
前記吹出口は、前記脱臭部から放出された空気を前記ベースの外側に吹き出す請求項１〜３のいずれかに記載の脱臭装置。
【発明の詳細な説明】
【技術分野】
【０００１】
本発明は、大便器用の脱臭装置に関する。
【背景技術】
【０００２】
従来、大便器用の脱臭装置では、臭気が含まれる空気を送風機で吸い込んで脱臭カートリッジに通過させることで脱臭を行っている（例えば、特許文献１参照）。
【先行技術文献】
【特許文献】
【０００３】
【特許文献１】特開２０１５−２０６１８４号公報
【発明の概要】
【発明が解決しようとする課題】
【０００４】
しかしながら、近年では、大便器に設けられる洗浄装置の高機能化に伴って、設置スペースの確保の観点から、脱臭機能を維持したままで脱臭装置のコンパクト化が求められている。
【０００５】
本発明は上記に鑑みてなされたものであり、その目的は、脱臭機能を維持したままコンパクト化することができる脱臭装置を提供することにある。
【課題を解決するための手段】
【０００６】
上記目的を達成するため本発明は、便器本体（例えば、後述する便器本体２）が有する便鉢（例えば、後述する便鉢４）の後部に設置され、斜め下方に向けて開口している吹出口（例えば、後述する吹出口３３）を側方に有するベース（例えば、後述するベース８）と、前記ベースの上方に空間を形成するように前記ベースを覆うカバー（例えば、後述するカバー１１）と、を備える脱臭装置（例えば、後述する局部洗浄装置３）を提供する。
【０００７】
前記カバーは、側面視で前記吹出口の少なくとも一部を遮蔽していることが好ましい。
【０００８】
前記ベースは、前記吹出口と前記便鉢の上端周縁との間に間隔を空けた状態で前記便鉢の後部上に載置されていることが好ましい。
【０００９】
通過する空気に含まれる臭気を取り除き、通過した空気を斜め下方に向けて放出する脱臭部（例えば、後述する脱臭カートリッジ３１）を備え、前記吹出口は、前記脱臭部から放出された空気を前記ベースの外側に吹き出すことが好ましい。
【発明の効果】
【００１０】
本発明によれば、脱臭機能を維持したままコンパクト化することができる脱臭装置を提供できる。
【図面の簡単な説明】
【００１１】
【図１】本発明の一実施形態に係る局部洗浄装置を備える大便器をその前方斜め上方から視た斜視図である。
【図２】便座、便蓋、及び局部洗浄装置のカバーを取り外した状態の大便器の上面図である。
【図３】局部洗浄装置をその前方斜め下方から視た斜視図である。
【図４】図２における矢印ＩＶ−ＩＶの方向に視た脱臭ユニットの断面図である。
【発明を実施するための形態】
【００１２】
以下、本発明の一実施形態について、図面を参照して詳細に説明する。なお、以下の説明において、便宜上、左右方向は便座に着座する大便器の利用者から見た左右方向を意味する。
【００１３】
まず、図１及び図２を用いて、大便器１について説明する。図１は、本発明の一実施形態に係る局部洗浄装置３を備える大便器１をその前方斜め上方から視た斜視図である。図２は、便座５、便蓋６、及び局部洗浄装置３のカバー１１を取り外した状態の大便器１の上面図である。
【００１４】
図１及び図２に示す大便器１は、水洗式の大便器であり、便器本体２と、局部洗浄装置３と、等を備える。また、大便器１は、洗浄水を貯留するタンク１００と、洗浄水を供給するポンプ、弁及び配管と、等を備えるが、これらの説明については省略する。
【００１５】
便器本体２は、汚物を受ける便鉢４と、この便鉢４の底部から下方に延びる排水管（図示省略）と、便鉢４に対して開閉する便座５及び便蓋６と、を含んで構成される。便鉢４の上部には、その周縁に沿って洗浄水の旋回流を生成するリム流水路（図示省略）と、その旋回流を排水管に向けて落し込む流れを生成する落し込み流路（図示省略）と、が形成されている。
【００１６】
局部洗浄装置３は、便鉢４の後部に設けられる。この局部洗浄装置３は、局部洗浄や温風乾燥等のための各種機能部品を収容するケース７を備える。ケース７は、便鉢４の上端周縁に設置されるベース８と、このベース８の前面中央に形成された横長の開口部９を開閉するシャッター１０と、ベース８に組み付けられるカバー１１と、を有する。カバー１１には、便座５及び便蓋６がそれぞれ回動可能に取り付けられている。
【００１７】
このような局部洗浄装置３は、洗浄水を吐出するノズルユニット１２と、このノズルユニット１２に温水を供給する温水供給ユニット１３と、風を送り出す送風ユニット１４と、汚物から発生する臭気を除去する脱臭ユニット１５と、これら各ユニット１２〜１５の駆動を司る制御基板１６と、この制御基板１６及び各種機能部品に電力を供給する電源基板１７と、等を備える。この局部洗浄装置３は、脱臭ユニット１５を中心に、脱臭装置として機能する。
【００１８】
ノズルユニット１２は、ベース８の中央に配置されている。このノズルユニット１２は、肛門洗浄用の洗浄ノズル１８と、この洗浄ノズル１８を駆動させるノズル駆動機構１９と、洗浄ノズル１８と共に左右に並んでツインノズルを構成するビデ用の洗浄ノズル２０と、この洗浄ノズル２０を駆動させるノズル駆動機構２１と、を有する。
【００１９】
左右一対の洗浄ノズル１８，２０は、互いに平行で前方に向かって下方に傾斜するように、ベース８に対して進退可能に支持される。これら洗浄ノズル１８，２０は、不使用時に、開口部９を閉じた状態のシャッター１０の内側に収容されている。
【００２０】
肛門洗浄用の洗浄ノズル１８は、ノズル駆動機構１９によって斜め下方に進出することで、その先端が、シャッター１０の内面の突起（図示省略）を介してシャッター１０の内面下側を押すことになり、開口部９を閉じる方向に付勢されているシャッター１０を、上方に回動させながら開いて開口部９の前方に突出する。この時、洗浄ノズル１８に押し開かれたシャッター１０は、開口部９を閉じる方向の付勢力に抗して、開口部９の下側から開く下開き状態になる。
【００２１】
ビデ用の洗浄ノズル２０は、ノズル駆動機構２１によって斜め下方に進出することで、その先端が、シャッター１０の内面の突起（図示省略）を介してシャッター１０の内面上側を押すことになり、開口部９を閉じる方向に付勢されているシャッター１０を、下方に回動させながら開いて開口部９の前方に突出する。この時、洗浄ノズル２０に押し開かれたシャッター１０は、開口部９を閉じる方向の付勢力に抗して、開口部９の上側から開く上開き状態になる。
【００２２】
これら洗浄ノズル１８，２０は、それぞれ、下方に位置する先端部に、温水供給ユニット１３によって供給された洗浄水を吐出する吐出孔２２を有する。
【００２３】
温水供給ユニット１３は、ベース８の右側に配置されている。この温水供給ユニット１３は、個別の配管を介して各洗浄ノズル１８，２０に接続されており、設定温度に調温された温水を、洗浄水として各洗浄ノズル１８，２０へ供給する。
【００２４】
送風ユニット１４は、ベース８の右側に配置されている。この送風ユニット１４は、外気を開口部９に導く送風ダクト２４と、この送風ダクト２４内に設けられた送風機２５と、送風ダクト２４内における送風機２５の下流側に設けられたヒーター２６及びイオン発生装置２７と、を備える。
【００２５】
送風ダクト２４は、外気の取込口（図示省略）を上流端に有すると共に、開口部９からケース７の外側に臨む吹出口２８を下流端に有する。この送風ダクト２４は、送風機２５の駆動によって、取込口から外気を取り込んで吹出口２８から風を吹き出す。送風機２５は、送風ダクト２４内に、取込口から吹出口２８への気流を発生させる。ヒーター２６は、送風ダクト２４に取り込まれた空気を温める。イオン発生装置２７は、送風ダクト２４に取り込まれた空気を電離させてプラスイオンとマイナスイオンを生じさせる。
【００２６】
このような送風ユニット１４は、送風機２５と共にヒーター２６を駆動させることで、吹出口２８から温風を吹き出す。また、送風ユニット１４は、送風機２５と共にイオン発生装置２７を駆動させることで、吹出口２８からプラスイオンとマイナスイオンを含む風を吹き出し、これらのイオンによって浮遊菌を不活化する。これにより、浮遊菌の繁殖を抑制し又は除菌する。
【００２７】
脱臭ユニット１５は、ベース８の左側に配置されている。この脱臭ユニット１５は、便鉢４内の空気を便鉢４の外部に導く脱臭ダクト２９と、この脱臭ダクト２９内に設けられた送風機３０と、脱臭ダクト２９内における送風機３０の下流側に設けられた脱臭カートリッジ３１と、を備える。
【００２８】
脱臭ダクト２９は、ベース８の前方中央寄りに形成された吸込口３２を上流端に有すると共に、ベース８の左側に形成された吹出口３３を下流端に有する。その脱臭ダクト２９は、送風機３０の駆動によって、吸込口３２から便鉢４内の空気を吸い込んで吹出口３３から風を吹き出す。送風機３０は、脱臭ダクト２９内に、吸込口３２から吹出口３３への気流を発生させる。脱臭カートリッジ３１は、脱臭用の触媒を内蔵しており、脱臭ダクト２９に吸い込まれた空気を通過させることで、通過する空気に含まれる臭気を取り除く。
【００２９】
なお、本実施形態では、脱臭カートリッジ３１として、活性炭等を触媒とする吸着型の脱臭剤を採用するが、光触媒のように紫外線等の光線を照射することによって物質を分解する機能を有する分解型のものを採用してもよい。
【００３０】
次に、図３及び図４を用いて、脱臭ユニット１５について説明する。図３は、局部洗浄装置３をその前方斜め下方から視た斜視図である。図４は、図２における矢印ＩＶ−ＩＶの方向に視た脱臭ユニット１５の断面図である。
【００３１】
図３及び図４に示すように、ベース８の左側に形成された吹出口３３は、左側側方に向けて斜め下方に開口している。ベース８は、吹出口３３と便鉢４の上端周縁との間に間隔３４を空けた状態で載置される。カバー１１は、ベース８の上方に空間を形成するようにベース８を覆う。このカバー１１は、左側側面視で吹出口３３を遮蔽している。
【００３２】
なお、吹出口３３は、その傾斜方向に沿って延びる複数の直線状の孔子によって格子状に形成されている。ここで、通常、吹出口を格子状とすることにより開口面積は小さくなるところ、本実施形態の吹出口３３は傾斜しているため、十分な開口面積が得られるようになっている。
【００３３】
ベース８は、脱臭カートリッジ３１が配置される部分が、吹出口３３の方向に向かって下方に傾斜している。脱臭カートリッジ３１は、吹出口３３の方向に向かって下方に傾斜するように配置される。これにより、脱臭カートリッジ３１は、通過した空気を吹出口３３に向かって斜め下方に放出する。結果、吹出口３３は、脱臭カートリッジ３１から放出された空気をベース８の外側に滑らかに吹き出す。
【００３４】
次に、局部洗浄装置３の動作モードについて説明する。
【００３５】
局部洗浄装置３は、脱臭モード、お尻洗浄モード、ビデモード、温風乾燥モード、鉢内除菌モード等の各種動作モードで動作する。
【００３６】
脱臭モードは、便鉢４内を脱臭する動作モードである。脱臭モードにおいて局部洗浄装置３は、肛門洗浄用の洗浄ノズル１８を斜め下方に進出させることで、シャッター１０を上方に回動させて下開き状態にする。その後、局部洗浄装置３は、送風ユニット１４の送風機２５を駆動させて、吹出口２８から吹き出される風を便鉢４の内面に広がる方向に導くと共に（図２中の矢印参照）、脱臭ユニット１５の送風機３０を駆動させて、吸込口３２から便鉢４内の空気を吸い込み脱臭カートリッジ３１で臭気を取り除く。なお、脱臭モードにおいて局部洗浄装置３は、送風ユニット１４のヒーター２６及びイオン発生装置２７を駆動させない。
【００３７】
お尻洗浄モードは、肛門を洗浄する動作モードである。お尻洗浄モードにおいて局部洗浄装置３は、肛門洗浄用の洗浄ノズル１８を斜め下方に進出させることで、シャッター１０を上方に回動させて下開き状態にする。その後、局部洗浄装置３は、温水供給ユニット１３を駆動させて、洗浄ノズル１８の吐出孔２２から肛門に向けて洗浄水を吐出させると共に、脱臭ユニット１５の送風機３０を駆動させて、吸込口３２から便鉢４内の空気を吸い込み脱臭カートリッジ３１で臭気を取り除く。なお、お尻洗浄モードにおいて局部洗浄装置３は、送風ユニット１４を駆動させない。
【００３８】
ビデモードは、女性の局部を洗浄する動作モードである。ビデモードにおいて局部洗浄装置３は、肛門洗浄用の洗浄ノズル１８を斜め下方にわずかに進出させることで、シャッター１０を上方にわずかに回動させてから、ビデ用の洗浄ノズル２０を斜め下方に進出させることで、引き続きシャッター１０を上方に回動させて下開き状態にする。その後、局部洗浄装置３は、温水供給ユニット１３を駆動させて、洗浄ノズル２０の吐出孔２３から女性の局部に向けて洗浄水を吐出させると共に、脱臭ユニット１５の送風機３０を駆動させて、吸込口３２から便鉢４内の空気を吸い込み脱臭カートリッジ３１で臭気を取り除く。なお、ビデモードにおいて局部洗浄装置３は、送風ユニット１４を駆動させない。
【００３９】
温風乾燥モードは、臀部を温風で乾燥させる動作モードである。温風乾燥モードにおいて局部洗浄装置３は、ビデ用の洗浄ノズル２０を斜め下方に進出させることで、シャッター１０を下方に回動させて上開き状態にする。その後、局部洗浄装置３は、送風ユニット１４の送風機２５及びヒーター２６を駆動させて、吹出口２８から吹き出される温風を臀部に向かう方向に導く。なお、温風乾燥モードにおいて局部洗浄装置３は、送風ユニット１４のイオン発生装置２７、及び脱臭ユニット１５を駆動させない。
【００４０】
鉢内除菌モードは、便鉢４内を除菌する動作モードである。鉢内除菌モードにおいて局部洗浄装置３は、肛門洗浄用の洗浄ノズル１８を斜め下方に進出させることで、シャッター１０を上方に回動させて下開き状態にする。その後、局部洗浄装置３は、送風ユニット１４の送風機２５及びイオン発生装置２７を駆動させて、吹出口２８から吹き出されるプラスイオンとマイナスイオンを含む風を便鉢４の内面に広がる方向に導く。なお、鉢内除菌モードにおいて局部洗浄装置３は、送風ユニット１４のヒーター２６、及び脱臭ユニット１５を駆動させない。
【００４１】
本実施形態によれば、以下の効果が奏される。
本実施形態に係る局部洗浄装置３は、便器本体２が有する便鉢４の後部に設置され、斜め下方に向けて開口している吹出口３３を側方に有するベース８と、ベース８の上方に空間を形成するようにベース８を覆うカバー１１と、を備える。
これにより、吹出口３３が便鉢４の上端周縁と上下で重なる場合であっても、吹出口３３からベース８の外側に空気を吹き出すことができるので、吹出口３３が便鉢４の上端周縁よりも外側に位置するようにベース８を大型化する必要がない。このため、局部洗浄装置３をコンパクト化することができる。
【００４２】
また、本実施形態に係る局部洗浄装置３は、ベース８を覆うカバー１１を備え、カバー１１は側面視で吹出口３３の少なくとも一部を遮蔽しているため、吹出口３３が隠れ、意匠性を向上させることができる。
また、ベース８が、吹出口３３と便鉢４の上端周縁との間に間隔を空けた状態で載置されるので、便鉢４の大きさに関係なく利用することができる。
さらには、脱臭カートリッジ３１から斜め下方に向けて放出された空気を、斜め下方に向けて開口している吹出口３３がベース８の外側に吹き出すので、吹出口３３での圧損を少なくすることができる。
【００４３】
以上、本発明の局部洗浄装置３の好ましい実施形態について説明したが、本発明は、上述した実施形態に制限されるものではなく、適宜変更が可能である。
【符号の説明】
【００４４】
１  大便器
２  便器本体
３  局部洗浄装置（脱臭装置）
４  便鉢
５  便座
６  便蓋
７  ケース
８  ベース
９  開口部
１０  シャッター
１１  カバー
１２  ノズルユニット
１３  温水供給ユニット
１４  送風ユニット
１５  脱臭ユニット
１６  制御基板
１７  電源基板
１８，２０  洗浄ノズル
１９，２１  ノズル駆動機構
２２，２３  吐出孔
２４  送風ダクト
２５  送風機
２６  ヒーター
２７  イオン発生装置
２８  吹出口
２９  脱臭ダクト
３０  送風機
３１  脱臭カートリッジ（脱臭部）
３２  吸込口
３３  吹出口
３４  間隔
【図１】
2018087453.tif 000003
【図２】
2018087453.tif 000004
【図３】
2018087453.tif 000005
【図４】
2018087453.tif 000006